(57)【要約】  本発明は、個人プロファイルを生成するため、個人によって実行される活動に関するボーナスポイントに基づきボーナスポイントを収集及び管理する方法及びシステムに関する。これにより、個人プロファイルは、ボーナスポイントが格納されるマネージャサーバにアクセスし、ある活動のポイント数を確認することによって取得される。
2007520816.tif 000002
【特許請求の範囲】
【請求項１】
個人によって実行された活動に関するボーナスポイントに基づき、個人プロファイルを生成するため前記ボーナスポイントを収集及び管理する方法であって、
前記個人の識別と共に前記個人により実行された特定の活動に関する情報を有する収集装置からの少なくとも１つのボーナスポイントを送信するステップと、
前記個人の識別に基づき前記少なくとも１つの送信されたボーナスポイントを受付及び格納するステップと、
を有し、
前記ボーナスポイントにアクセスすることによって、個人プロファイルが生成可能であることを特徴とする方法。
【請求項２】
請求項１記載の方法であって、
前記特定の活動に関する前記ボーナスポイントの送信前に、前記ボーナスポイントが前記収集装置においてローカルに収集され、ボーナスポイントデータパッケージとして送信されることを特徴とする方法。
【請求項３】
請求項２記載の方法であって、
前記ボーナスポイントデータパッケージを送信するステップは、所定の間隔により実行されることを特徴とする方法。
【請求項４】
請求項２記載の方法であって、
前記データパッケージは、幾人かの個人からのボーナスポイントを有することを特徴とする方法。
【請求項５】
請求項１乃至４何れか一項記載の方法であって、
前記ボーナスポイントはさらに、前記活動が実行された位置に関する情報を有することを特徴とする方法。
【請求項６】
請求項１乃至５何れか一項記載の方法であって、
前記ボーナスポイントはさらに、前記活動が実行された時間に関する情報を有することを特徴とする方法。
【請求項７】
個人プロファイルを生成するため、個人によって実行される活動に関するボーナスポイントを収集及び管理するシステムにおいて使用される収集装置であって、
前記個人によって実行された活動に基づき前記ボーナスポイントを受付ける手段と、
前記個人の識別と共に前記ボーナスポイントをマネージャサーバに送信する手段と、
を有し、
前記マネージャサーバは、前記個人の受付けた識別に基づき前記ボーナスポイントを受付及び格納するよう構成され、
前記マネージャサーバにアクセスすることによって、前記ボーナスポイントが個人プロファイルを生成するのに利用可能であることを特徴とする装置。
【請求項８】
請求項７記載の収集装置であって、
当該収集装置は、携帯装置であることを特徴とする装置。
【請求項９】
請求項７又は８記載の収集装置であって、
当該収集装置はさらに、格納手段を有することを特徴とする装置。
【請求項１０】
請求項７乃至９何れか一項記載の収集装置であって、
当該収集装置はさらに、前記活動が実行された位置を決定する手段を有することを特徴とする装置。
【請求項１１】
請求項７乃至９何れか一項記載の収集装置であって、
当該収集装置はさらに、前記活動が実行された時間を決定する手段を有することを特徴とする装置。
【請求項１２】
請求項７乃至１１何れか一項記載の収集装置であって、
当該収集装置と前記マネージャサーバとの間のトランザクションには、当該収集装置と活動タイプを表すコードが与えられることを特徴とする装置。
【請求項１３】
請求項７乃至１２何れか一項記載の収集装置であって、
前記ボーナスポイントは、該ボーナスポイントを前記マネージャサーバに送信する前にローカルに収集されることを特徴とする装置。
【請求項１４】
請求項７乃至１３何れか一項記載の収集装置であって、
当該収集装置と前記マネージャサーバとの間の送信を提供するため、ＸＰプロトコルが使用されることを特徴とする装置。
【請求項１５】
個人プロファイルを生成するため、個人によって実行される活動に関するボーナスポイントを収集及び管理するシステムにおいて使用されるマネージャサーバであって、
前記個人の識別と共に前記個人によって実行される活動に基づき前記ボーナスポイントを受付け、マネージャサーバに送信するよう構成される収集装置から、前記個人の識別と共に前記ボーナスポイントを受付ける手段と、
前記個人の識別に基づき、前記ボーナスポイントを格納する手段と、
を有し、
前記マネージャサーバにアクセスすることによって、前記ボーナスポイントは個人プロファイルを生成するのに利用可能であることを特徴とするマネージャサーバ。
【請求項１６】
個人プロファイルを生成するため、個人によって実行される活動に関するボーナスポイントに基づき該ボーナスポイントを収集及び管理するシステムであって、
前記個人によって実行される活動に基づき前記ボーナスポイントを受付ける手段と、前記個人の識別と共に前記ボーナスポイントをマネージャサーバに送信する手段とを有する収集装置と、
前記収集装置から前記個人の識別と共に前記ボーナスポイントを受付ける手段と、前記個人の識別に基づき前記ボーナスポイントを格納する手段とを有するマネージャサーバと、
前記個人の個人プロファイルを取得するため、前記個人の識別に基づき前記ボーナスポイントにアクセスする手段と、
を有することを特徴とするシステム。
【発明の詳細な説明】
【技術分野】
【０００１】
本発明は、個人の各活動に関するボーナスポイントを収集することによって、個人の個人プロファイルを生成するよう構成されるシステムに関する。
【背景技術】
【０００２】
ポイントを収集し、それを用いてある種の価格を取得するコンセプトは、周知である。従って、現在のポイントシステムを特徴付けるものは、それらが単にビジネス向けであるということである。周知な例は、個人が航空路線による飛行により、又は航空会社により所有されるホテルの利用により飛行ポイントを取得する一部の航空会社によって提供される飛行ポイントシステムである。他の例は、以降においてクーポンポイントとして利用可能な顧客ポイントを与えるスーパーマーケットである。このポイントシステムは、無線通信を通じてさらに拡張された。一例として、買い物客が自らの携帯電話を用いて割引クーポンを無線送信し、又はキャッシュレジスタからボーナスポイントを収集することを可能にするＢｌｕｅｔｏｏｔｈベースシステムである（Ｃｏｍｐｕｔｅｒ  ｗｏｒｌｄ  Ｓｉｎｇａｐｏｒｅ，ｖｏｌ．８，Ｉｓｓｕｅ  Ｎｏ．１４，１−２１．Ｆｅｂ．２００２）。
【０００３】
格納されている情報は、あまり効率的には利用されず、ポイント口座に関する格納されている情報が極めて限られている、すなわち、一例として格納されている情報が特定のスーパーマーケットにおけるスーパーマーケットの買い物を通じて、個人が合計で何ポイントを取得したかに関するものであるということである。さらに、既知のポイントシステムは、典型的には、互いに独立して利用される専用のポイントシステムである。
【発明の開示】
【発明が解決しようとする課題】
【０００４】
本発明の課題は、上述の問題点を解消することである。
【課題を解決するための手段】
【０００５】
第１の特徴によると、本発明は、個人によって実行された活動に関するボーナスポイントに基づき、個人プロファイルを生成するため前記ボーナスポイントを収集及び管理する方法であって、
・前記個人の識別と共に前記個人により実行された特定の活動に関する情報を有する収集装置からの少なくとも１つのボーナスポイントを送信するステップと、
・前記個人の識別に基づき前記少なくとも１つの送信されたボーナスポイントを受付及び格納するステップと、
を有し、前記ボーナスポイントにアクセスすることによって、個人プロファイルが生成可能であることを特徴とする方法に関する。
【０００６】
これによって、ボーナスポイントは、中央サーバなどの同一の場所に格納され、格納されたデータは、個人の個人プロファイルを生成するため、又はそれらをボーナスクーポンとして使用するため、データを効果的に抽出するのに利用可能である。さらに、格納されたボーナスポイントは、各カテゴリが１以上の活動を表す複数のカテゴリを有することが可能である。従って、食料について活動を表すカテゴリは、好ましくは、複数のサブカテゴリに分割され、これらのサブカテゴリは食品活動内の複数のサブ活動に分割される。サブ活動の一例は、ワイン、ビール、肉などとすることが可能である。この結果は、より多くの情報が各個人について取得されるということである。
【０００７】
この格納されたボーナスポイントは、携帯装置又は固定的装置を介しアクセス可能である。このため、例えば、個人は１以上の活動における自らのスキルを、ボーナスポイントを携帯装置又は固定的装置を介し入力することによって示し、１以上の活動におけるポイント数を抽出することが可能である。
【０００８】
例えば、活動は、スポーツ、科学、ワイン飲酒、食品などであり、受け付けたボーナスポイントは、当該活動における個人のスキルを反映し、これにより、個人の個人プロファイルを生成するよう構成されてもよい。ボーナスポイントの受付後、それらは、収集される収集装置から格納及び管理されるマネージャサーバに転送される。
【０００９】
一実施例では、前記ボーナスポイントの送信前に、前記ボーナスポイントが前記収集装置においてローカルに収集され、ボーナスポイントデータパッケージとして送信される。ここで、前記ボーナスポイントデータパッケージを送信するステップは、例えば、毎日２回や２時間毎など所定の間隔により実行されてもよい。一実施例では、前記データパッケージは、幾人かの個人からのボーナスポイントを有する。
【００１０】
好ましくは、前記ボーナスポイントはさらに、前記活動が実行された位置に関する情報を有する。この活動は、三つ星レストランにおいて食品を購入することとすることが可能であり、ここで当該位置は活動タイプ、すなわち、食品活動を決定し、時間は単に当該活動が行われた時間を示す。
【００１１】
第２の特徴によると、本発明は、個人プロファイルを生成するため、個人によって実行される活動に関するボーナスポイントを収集及び管理するシステムにおいて使用される収集装置であって、
・前記個人によって実行された活動に基づき前記ボーナスポイントを受付ける手段と、
・前記個人の識別と共に前記ボーナスポイントをマネージャサーバに送信する手段と、
を有し、前記マネージャサーバは、前記個人の受付けた識別に基づき前記ボーナスポイントを受付及び格納するよう構成され、前記マネージャサーバにアクセスすることによって、前記ボーナスポイントが個人プロファイルを生成するのに利用可能であることを特徴とする装置に関する。
【００１２】
一実施例では、当該収集装置は携帯電話などの携帯装置である。他の実施例では、収集装置は、送信装置と任意的に受信装置とを有する通常のコンピュータなどの固定的装置である。好ましくは、当該収集装置はさらに、格納手段、及び／又はＧＰＳシステムなどの前記活動が実行された位置を決定する手段、及び／又は前記活動が実行された時間を決定する手段を有する。
【００１３】
他の好適な実施例では、当該収集装置と前記マネージャサーバとの間のトランザクションには、当該収集装置と活動タイプを表すコードが与えられる。
【００１４】
さらなる他の実施例では、前記ボーナスポイントは、該ボーナスポイントを前記マネージャサーバに送信する前にローカルに収集される。
【００１５】
さらなる他の実施例では、当該収集装置と前記マネージャサーバとの間の送信を提供するため、ＸＰプロトコルが使用される。
【００１６】
第３の特徴によると、本発明は、個人プロファイルを生成するため、個人によって実行される活動に関するボーナスポイントを収集及び管理するシステムにおいて使用されるマネージャサーバであって、
・前記個人の識別と共に前記個人によって実行される活動に基づき前記ボーナスポイントを受付け、マネージャサーバに送信するよう構成される収集装置から、前記個人の識別と共に前記ボーナスポイントを受付ける手段と、
・前記個人の識別に基づき、前記ボーナスポイントを格納する手段と、
を有し、前記マネージャサーバにアクセスすることによって、前記ボーナスポイントは個人プロファイルを生成するのに利用可能であることを特徴とするマネージャサーバに関する。
【００１７】
第４の特徴によると、本発明は、個人プロファイルを生成するため、個人によって実行される活動に関するボーナスポイントに基づき該ボーナスポイントを収集及び管理するシステムであって、
・前記個人によって実行される活動に基づき前記ボーナスポイントを受付ける手段と、前記個人の識別と共に前記ボーナスポイントをマネージャサーバに送信する手段とを有する収集装置と、
・前記収集装置から前記個人の識別と共に前記ボーナスポイントを受付ける手段と、前記個人の識別に基づき前記ボーナスポイントを格納する手段とを有するマネージャサーバと、
・前記個人の個人プロファイルを取得するため、前記個人の識別に基づき前記ボーナスポイントにアクセスする手段と、
を有することを特徴とするシステムに関する。
【発明を実施するための最良の形態】
【００１８】
図１は、各カテゴリがマネージャサーバ１１３において収集されるボーナスポイントを与える１以上の活動を表す６つのカテゴリを示す具体例を示す。図１に示されるカテゴリは、以下の活動、すなわち、旅行１０１、宗教１０３、音楽１０５、映画１０７、科学１０９及びスポーツ１１１を表す。
【００１９】
ある活動を行うことによってボーナスポイントを収集することは、例えば、当該カテゴリが旅行であるとき、航空チケットやホテルの支払時に、又は当該カテゴリが映画１０７であるとき、映画チケットの支払時に行うことができる。一実施例では、様々なカテゴリは、異なるサブ活動を表す異なるサブカテゴリに分割可能な異なる活動を有する。このようなサブカテゴリの一例は登山であり、登山のカテゴリは、スポーツの主カテゴリの下のサブカテゴリとすることが可能である。このようなサブカテゴリの他の例は、主カテゴリである映画１０７の下のアクション映画やドラマなどの異なるタイプの映画である。
【００２０】
１つの好適な実施例では、ボーナスポイントが２以上の活動について同時に与えられる。一例は、他の国で航空旅行をしている個人であり、その個人は旅行活動だけでなくスポーツ活動の両方についてボーナスポイントを取得する。
【００２１】
このボーナスポイントは、固定的なボーナスプロバイダを通じて収集可能である。例えば、このような固定的なボーナスプロバイダは、登山者がある山に到達すると、スポーツ活動についてのボーナスポイントを取得することができるように、山の頂上に配置することが可能である。
【００２２】
ある活動についてボーナスポイントを受け付けた後、ポイントはそれらを格納するマネージャサーバ１１３に転送される。ボーナスポイントをマネージャサーバ１１３に送信する方法はいくつか存在する。登山者の例では、山のボーナスプロバイダはさらに、当該登山者の識別と共に、ボーナスポイントをマネージャサーバ１１３に送信する送信機を有することが可能である。他方、ボーナスプロバイダがマネージャサーバ１１３から離れすぎている場合、登山者は携帯装置を利用して、山を登頂したことによるボーナスを格納することが可能であり、その後、この格納されたボーナスポイントをマネージャサーバに送信することが可能である。この場合、携帯装置及び／又は山頂のボーナスプロバイダには、ＧＰＳなどの位置決定手段が設けられ、好ましくは、当該データを送信したボーナスポイントに添付するため、山頂に到達した時間もまた与えることができる。一実施例では、異なる山は異なるボーナスポイントのポイント数を与えることが可能である。従って、登山することが困難であるほど、受け付けられるボーナスポイント数は大きくなる。他の例では、ボーナスポイントプロバイダは、映画チケットの支払後に支払レジのデスクにあり、レジのデスクはさらに、ボーナスポイントをマネージャサーバに送信するための送信機を有する。
【００２３】
収集及び格納されたボーナスポイントは、携帯装置又は固定的な装置を介しボーナスポイントにアクセスすることによって、個人の個人プロファイルを生成するよう構成される。例えば、個人は、携帯装置を介し又は固定的装置から、マネージャサーバに入ることによって１以上の活動における自分のスキルを示すことが可能であり、これら１以上の活動におけるポイント数を抽出することが可能である。他の例は、ある活動において大変多くの経験を有し、これにより、多くの経験ポイントを有し、店に入る個人が、低い点数の活動ポイントをしか有しない者と異なる方法により出席可能であるということである。さらなる他の例は、ある仕事に申し込む個人であり、ここでは、この個人の個人プロファイルを生成するため、ボーナスポイントが使用される。この仕事は、ワインストアのサービスアシスタントであってもよく、ワインに関する活動の経験ポイント数が特に重視される。
【００２４】
ボーナスポイントはまた、１つの活動において多数のボーナスポイントを有する人に割引が与えられるように、クーポンポイントとして利用することが可能である。例えばこれは、製品がワインであるワイン活動とすることが可能である。
【００２５】
図２は、ボーナスポイントが収集及び格納されるマネージャサーバ側の格納手段２０１を示す。本実施例では、格納手段２０１は、異なる活動を表す複数のカテゴリ２０３〜２０５に分割される。例えば、第１カテゴリ２０３は、図１に示される旅行活動１０１を表すものとすることができ、第２カテゴリは宗教活動１０３を、第３カテゴリは音楽活動１０５などを表すことが可能である。
【００２６】
図３は、個人プロファイルを生成するため、ボーナスポイントを収集及び管理するシステムの一実施例を示す。ここで、個人３０１はある活動を実行し、収集装置３０３はボーナスポイントを受け付け、無線送信３０５を介してなど、このボーナスポイントをマネージャサーバ３０７に送信する。マネージャサーバでは、ボーナスポイントは収集及び格納される。
【００２７】
ここで、収集装置はさらに、格納手段及び／又は、ＧＰＳシステムなど、当該活動が実行された位置を決定する手段を有し、ここで、格納手段はポイントをマネージャサーバに送信する前に、一部のポイントを収集するよう構成可能である。好ましくは、収集装置はまた、当該活動が実行された時間を記録するための内部クロックを有する。
【００２８】
一実施例では、収集装置３０３は、１日に２回、又は２時間毎に幾人かの個人に関する情報を有するボーナスポイントデータパッケージを送信するようプログラムされる。
【００２９】
他の実施例では、収集装置３０３とマネージャサーバ３０７との間のトランザクションには、収集装置と活動タイプを表すコードが与えられる。例えば、このコードは、当該個人がボーナスポイントを受け取った店のタイプ、当該店舗がどれくらい高価であるか、及びこれによりボーナスポイント数と活動タイプを有することが可能である。さらなる情報は、当該個人の識別とすることが可能である。送信されたボーナスポイントは、正しいカテゴリの下で個人の識別と共にマネージャサーバに収集されるであろう。
【００３０】
図３において、マネージャサーバ３０７に格納されるボーナスポイントのアクセスが、１以上のカテゴリの実際のポイント残高にアクセス可能な携帯電話などの携帯装置３０９を介し行われる。一実施例では、他人のポイント残高にアクセスすることが可能である。
【００３１】
図４は、個人プロファイルを生成するため、ボーナスポイントを収集及び管理するシステムの他の実施例を示す。ここでは、収集装置４０３は可動的なものであり、マネージャサーバ４０７に格納されるボーナスポイントのアクセスは、固定的装置４０９を介し実行される。この固定的装置は、例えば、レジのデスクのコンピュータシステムであるかもしれない。
【００３２】
１つの好適な実施例では、図３及び４の収集装置３０３及び４０３とマネージャサーバ３０７及び４０７には、交換プロトコルであり、これらの装置の間のボーナスポイントの送信をサポートするＸＰプロトコルが設けられる。ＸＰプロトコルは、時間と場所、ポイント数及びカテゴリに関するエントリを有する。各トランザクションは、一意的なコードを取得する。これらのローカルに生じたトランザクションは、その後にマネージャサーバに送信可能であり、一意的なトランザクション識別は、トランザクションが有効となるため、携帯装置又は収集装置によってマネージャサーバに送信されねばならない。これは、スーパーマーケットには関係ないが、山頂には関係があるであろう。
【００３３】
中央サーバにアクセスすることによって、個人のボーナスポイント分布が取得可能である。ＸＰプロトコルによる特定の標識が設定されている場合（「ＸＸＸ．ＹＹＹ．ＺＺＺに変換可能」（ただし、ＸＸＸ．ＹＹＹ．ＺＺＺは階層的なカテゴリ記述である）など）、１つのカテゴリからのポイントは他のカテゴリのポイントに変換可能である（例えば、スーパーマーケットからの取引ボーナスポイントが、映画館チェーンのリベートポイントに変換可能などである）。
【００３４】
送信装置が利用可能でない状況では、ある装置がＧＰＳ情報、時間及び画像認識や音声解析技術などを用いてサーバによりオフラインに認証可能な環境のオーディオビジュアル記録を記録することが可能である。オーディオビジュアル情報はまた、中央サーバを介しアクセス可能なユーザ固有の体験日記のためユーザによって添付可能である（カムコーダ記録など）。
【００３５】
図５は、個人プロファイルを生成するため、ボーナスポイントを収集及び管理する方法を示す。収集装置５１１の側では、活動（Ａ＿ＩＮ）５０１に関する情報が、当該個人の識別と共に取得され、収集（Ｃ＿ＢＰ）５０３され、送信（Ｔ＿Ｍ）５０５される。マネージャサーバ側５１３では、送信されたデータが受け付け（Ｒ＿Ｓ）５０７され、格納される（Ｓｔｏ）５０９。前述のように、特定の活動に関するボーナスポイントを送信する前に、ボーナスポイントが収集装置においてローカルに収集可能であり、ボーナスポイントデータパッケージとして送信可能である。この送信は、ポイント収集直後又はしばらくした後に実行されてもよく、ボーナスポイントデータパッケージがこれに応じて送信され、最終的には、幾人かの個人からのボーナスポイントを有することとなる。
【００３６】
図６は、マネージャサーバにおける１以上のカテゴリにアクセスし、実際のボーナスポイント残高を取得するための個人からのリクエスト（Ｒｅｑ）６０１を有する収集装置からマネージャサーバにアクセスする一実施例を示す。識別コード（ＩＤ）６０３がリクエストされる。正しいコードが与えられる場合、当該リクエストは６０５においてマネージャサーバにおける処理手段（Ｐｒｏ）によって処理され、リクエストされたデータ、すなわち、１以上の活動のためのボーナスポイントの残高が格納手段６０７から抽出される。そうでない場合、当該リクエストは拒絶される。当該リクエスト（ＡＮ）６０９に対する回答は、その後に当該個人に送信される。
【００３７】
上述の実施例は、本発明を限定するものではなく説明するものであり、当業者は添付された請求項の範囲から逸脱することなく他の多数の実施例を設計することが可能であるということに留意すべきである。請求項において、括弧内に置かれる参照符号は、当該請求項を限定するものとして解釈されるべきではない。「有する」という用語は、請求項に列挙された以外の他の要素又はステップの存在を排除するものではない。本発明は、複数の異なる要素を有するハードウェアによって、そして適切にプログラムされたコンピュータによって実現することが可能である。ある手段が互いに異なる従属クレームにおいて記載されるという事実は、これらの手段の組み合わせが効果的に利用することができないことを示すものではない。
【図面の簡単な説明】
【００３８】
【図１】図１は、各活動に対するボーナスポイントがマネージャサーバにおいて収集される各活動を示す具体例を示す。
【図２】図２は、格納手段が各活動に関する各カテゴリに分割されることを示す。
【図３】図３は、個人プロファイルを生成するため、ボーナスポイントを収集及び管理するシステムの一実施例を示す。
【図４】図４は、個人プロファイルを生成するため、ボーナスポイントを収集及び管理するシステムの他の実施例を示す。
【図５】図５は、個人プロファイルを生成するため、ボーナスポイントを収集及び管理する方法の一実施例を示す。
【図６】図６は、収集装置からマネージャサーバへのアクセス方法の一実施例を示す。
【図１】
2007520816.tif 000003
【図２】
2007520816.tif 000004
【図３】
2007520816.tif 000005
【図４】
2007520816.tif 000006
【図５】
2007520816.tif 000007
【図６】
2007520816.tif 000008
【国際調査報告】
2007520816.tif 000009
2007520816.tif 000010